(57)【要約】  便器及び脱衣装置が設置された患者用寝台を提供する。本発明は、マットを支持する寝床の下部に便器装置が設置された患者用寝台において、前記マットの便器が設置された部分の上部には便器穴が形成されており、前記便器穴の一側には人体の臀部及び陰部を隠す遮蔽装置が設置されて構成される。
2007537791.tif 000002
【特許請求の範囲】
【請求項１】
マットを支持する寝床１００の下部に便器装置３００が設置された患者用寝台であって、
前記マットの便器３００が設置された部分の上部には、便器穴１１２ａが形成されており、前記便器穴１１２ａの一側には人体の臀部及び陰部を隠す遮蔽装置５００がさらに設置されることを特徴とする患者用寝台。
【請求項２】
前記遮蔽装置５００は、その内部が空いており縦断面及び横断面が弧状になっているハウジング３５１と、
前記ハウジングの内部に引出可能に設置され、前記ハウジング３５１と同じ弧状を有する遮蔽片３５３から構成されることを特徴とする請求項１に記載の患者用寝台。
【請求項３】
前記遮蔽装置５００は、マット支持台１３０の一側にハウジング固定台３７０によって固定されスプリングショーバー３６０の作動によりその一側のヒンジ点を中心に回動できるように設置され、弧状の筒体状に形成され、曲げられた弧の内側に向く面には給水管挿入溝部３５１ａが一体に形成され、内部には弧状に曲げられたラック３５１ｂが設置され、前記ラック３５１ｂに噛合されるギア歯が形成されているピニオン３５４ａが回転軸に設置されている直流モータ３５４を備えるハウジング３５１と、
前記ハウジング３５１の内部に挿入できる曲率の弧状を有する２つの板体から構成され、前記ハウジング３５１に向く端部はハウジング３５１に形成されている係止あごに係止するハウジング係止あご３５２ｂが形成されており、前記ハウジング３５１に形成されている給水管挿入溝部３５１ａに対向し多数の貫通穴が形成されている給水管挿入部３５２ａが一体に形成されている遮蔽片ハウジング３５２と、
前記遮蔽片ハウジング３５２の両縁に形成されているヒンジ突起３５３ａにヒンジ固定され、スプリング３５３ｂにより遮縁片ハウジング３５２の中央に向いて畳まれた状態で設置され、前記ヒンジ固定された部分に回動突部３５３ｃが形成されている多数の遮蔽片３５３と、
前記ハウジング３５１の内部に設置され直流モータ３５４の一側に連結されて直流モータ３５４の駆動によりラック３５１ｂに沿ってハウジング内部で往復運動し、内部に第２緩衝スプリング３５６ａが設置されている移動体３５６と、
板体形状に両縁に前記遮蔽片３５３のヒンジ固定部に形成されている回動突部３５３ｃを押して遮蔽片３５３が遮蔽片ハウジング３５２から開けられるように押し出す遮蔽片回動片３５８ｃが形成され、一端部は前記ピストン３５６の中に挿入設置されて第２緩衝スプリング３５６ａにより弾性的に支持される遮蔽片駆動板３５８と、
前記ピストン３５６と遮蔽片ハウジング３５２のハウジング３５１の内部に挿入された端部との間に設置されている第１緩衝スプリング３５５から構成されることを特徴とする請求項１に記載の患者用寝台。
【請求項４】
前記給水管挿入部３５２ａに形成されている穴には噴射ノズル４４０がさらに設置され、前記噴射ノズル４４０は円筒形に構成され、多数の噴射穴４４１が形成され、ホース３５２ｄが一側に連結されて洗浄水または空気を供給されることができ、前記噴射ノズル４４１を繰り返して回動させて噴射される空気や洗浄水の方向を調節する手段がさらに設置されており、
前記方向調節手段は、直流モータ４１０の回転軸に偏心プーリ４２０を設置し、前記円筒形噴射ノズル４４１の円周から外された部分にワイヤー４３０を連結して直流モータの駆動により回動される偏心プーリ４２０の回動により回動されるように構成されることを特徴とする請求項３に記載の患者用寝台。
【請求項５】
前記寝床１００は、背もたれ１１１、臀部支え部１１２、脚支え部１１３及び足支え部１１４が互いに畳まれるようにヒンジ固定されたマット１１０と、横フレーム１３２と縦フレーム１３３をコナー支持台１３２で支えて構成されたマット支持台１３０、前記マット１１０を畳まれたり開けられるようにするマット折畳手段１２０から構成され、
前記マット１１０の背もたれ１１１と臀部支え部１１２は、固定ヒンジ軸１１１ａによりマット支持台１３０の中段部にヒンジ固定されて前記固定ヒンジ軸１１１ａを中心に互いに回動し、前記臀部支え部１１２と脚支え部１１３との間及び脚支え部１１３と足支え部１１４との間は、折畳部１１２b、１１４ａにより互いに畳まれるように構成され、前記脚支え部１１３の中段部と前記足支え部１１４の端部には、移動ヒンジ軸１１３a、１１４ｂが設置されて前記移動ヒンジ軸１１３a、１１４ｂがマット支持台１３０の縦フレーム１３３の内側に形成されている軸移動溝１３３ａの内部で横に移動するように構成され、
前記マット折畳手段１２０は、前記マット支持台１３０に一端部がヒンジ固定され、内部に設置されたピストン軸の端部が前記マット１１０の背もたれ１１１にヒンジ固定されて背もたれ１１１を一端部の固定ヒンジ軸１１１ａを中心に畳まれるように押したり引っ張ったりする第１シリンダー１２１と、前記マット支持台１３０に一端部がヒンジ固定され、内部に設置されているピストン軸の端部が前記マット１１０の臀部支え部１１２にヒンジ固定されて臀部支え部１１２を一端部の前記固定ヒンジ軸１１１ａを中心に畳まれるように押したり引っ張ったりする第２シリンダー１２２から構成されることを特徴とする請求項１または請求項２に記載の患者用寝台。
【請求項６】
前記便器装置３００は、前記マット１１０の臀部支え部１１２の中央を貫通して形成された便器穴１１２ａの下部に設置された便器３１０と、前記便器及び患者の臀部洗浄用水を供給する給水手段３２０と、前記便器に排泄された排泄物と洗浄用水を排出させる排水手段３４０と、便器穴１１２ａを開閉する開閉手段３３０から構成され、
前記開閉手段３３０は、板体形状に両縁に係止突起３３７がそれぞれ一対形成され、移動方向の一端部にはヒンジ棒３３６が形成されて構成され前記臀部支え部１１２の中央に形成されている便器穴１１２ａを開閉する便蓋３３１と、前記便蓋３３１の両縁に形成されている係止突起３３７が滑走可能に挿入されるガイド溝３３８a、３３８ｂが形成されているガイド３３８と、前記便蓋３３１に形成されているヒンジ棒３３６に回動自在に結合されている連結台３３５が回動自在に設置され、回転軸にピニオン３３３が設置されたモータ３３２と、前記モータ３３２に設置されているピニオン３３３のギア歯に噛合されるギア歯が形成されてモータの駆動時にピニオン３３３の回転によって前記モータ３３２が往復移動せしめるラック３３４からなることを特徴とする請求項１乃至請求項３のうちのいずれか一項に記載の患者用寝台。
【請求項７】
前記寝床には患者の下衣を脱衣または着用するための脱衣装置２００がさらに設置され、
前記脱衣装置２００は、前記マット支持台１３０の両縁に人体の長さ方向に置かれ、人体の腰部分から脚まで延在するように置かれた筒体状であって、マット側に向く部分には長くズボン掛け移送溝２１１が形成され、脚に向かう端部の内部には、モータ２１４が設置されており、前記モータ２１４の回転軸に設置されたベベルギア２１４ａと噛合されて駆動されるベベルギアの回転軸にはプーリ２１５が設置されており、反対側の端部側内部には前記プーリ２１５に掛けられたズボン掛け移送ベルト２１６の他側がかけられるプーリ２１５’が設置されたズボン掛け移送台２１０と、筒体状にマットに向かう面には移送台移送溝２２１が形成され、内部には２つのプーリ２１０、２１０’間に移送台移送ベルト２６０が設置されており、前記移送ベルト２６０の中段部の両側にはそれぞれ前記ズボン掛け移送台２１０が固定されている移送台支え２２０と、前記移送台支え２２０の内部に設置されているプーリのいずれか一側のプーリに設置されているモータ２３０からなり、
前記移送台支え２２０の下部には上下移動軸２４０がさらに設置され、前記上下移動軸２４０はコナー支持台１３１に固定設置されている移動軸支持管２５０に挿入されて移送台支え２２０が上下に移動できるように支持されることを特徴とする請求項１乃至請求項３のうちのいずれか一項に記載の患者用寝台。
【請求項８】
前記排水手段３４０は前記便器３１０の底面に延在形成された排水管に電子式３方弁３４３を設置し、前記３方弁３４３に２つの管を連結して一方の管には排泄物鉢３４１を連結し、他方の排水管３４２は下水管に連結して排泄物を選択的に排出することができるように構成することを特徴とする請求項６に記載の患者用寝台。
【請求項９】
前記排泄物鉢３４１は、筒体状でその側壁に長く穴３４１ｇが形成されている外部保護カバー３４１ａと、
前記外部保護カバー３４１ａの内部に設置され、上方に向けて流入管３４１ｄが設置され、側方には流出管３４１ｃが形成されており、ベローズ壁を有する内部蛇腹箱３４１ｂっと、
前記内部蛇腹箱３４１ｂの一端部に設置され前記外部保護カバー３４１ａに形成されている穴３４１ｇを貫通して露出される取っ手３４１ｆが形成されている移動板３４１ｆからなることを特徴とする請求項８に記載の患者用寝台。
【発明の詳細な説明】
【技術分野】
【０００１】
本発明は、医療用寝台に関し、特に、挙動が不自由な患者が使用することができる患者用寝台に関する。
【０００２】
また、本発明は、便器装置の上部に遮蔽装置を設置して患者の陰部及び臀部を隠すようにすることにより、患者が羞恥心を感じず、用を足すことができるだけでなく、横になった状態で小便をしても、遮蔽片によって小便が外部に飛び出ないようにした患者用寝台に関する。
【０００３】
さらに詳細には、便器装置と脱衣装置を具備し、下半身の動きが不自由な患者が容易に下衣を脱ぐことができ、寝台で用を足すことができる患者用寝台に関する。
【背景技術】
【０００４】
体が不自由な患者の場合、動きが制限されるため、必ず介護者が傍で介護しなければならず、このような介護者の不在中は患者の生理現象を解消するのに多くの困難があった。
【０００５】
このような問題を解消するために、寝台の下部に便器を設置したものがあるが、このような施設の場合、大小便を直ちに処理することができず、排泄物からの臭いがする恐れから気楽に生理現象を解消することができない問題があった。
【０００６】
また、既存の便器を備えた寝台は、横になった状態で生理現象を解消すべきであるか、或いは、介護者により座らせた状態で行われるため、患者一人いるときは容易に使用することができない問題があった。
【発明の開示】
【発明が解決しようとする課題】
【０００７】
本発明は、上述の問題点に鑑みてなされたもので、その目的は、排泄物から臭いがしないように水洗機能を有し、排泄物を排泄物鉢に入れて密閉させることにより、排泄物からの臭いを防ぐことができる便器装置を有する患者用寝台を提供することにある。
【０００８】
また、本発明の他の目的は、下半身の挙動が不自由な患者が独りで下衣を脱いで用を足すことができ、座った姿勢で下半身が布団で隠された状態で用を足すことができるため、楽な姿勢で生理現象を解消することができると共に、用を足す時に患者の下半身を隠すことができる遮蔽装置と遮蔽装置の一側に水洗装置を具備することにより、患者が羞恥心を感じず、用を足すことができ、用を足した後、容易に水洗を行うことができる患者用寝台を提供するすることにある。
【０００９】
また、本発明のさらに他の目的は、前記水洗及び遮蔽装置を寝台の底面で出し入れできるようにすることにより、休息または就寝時には、より安らかな休息及び就寝をとれるようにする患者用寝台を提供することにある。
【課題を解決するための手段】
【００１０】
上記目的を達成すべく、本発明によれば、マットを支える寝床の下部に便器装置が設置された患者用寝台であって、前記マットの便器が設置された部分の上部には便器穴が形成されており、前記便器穴の一側には人体の臀部及び陰部を隠す遮蔽装置が設置されることを特徴とする患者用寝台を提供する。
【発明の効果】
【００１１】
本発明に係る患者用寝台は、水洗機能を有することにより患者の臀部及び陰部の清潔を維持すると共に、便器の排泄物を容易に排出することにより排泄物からの臭いを防ぐことができる。
【００１２】
また、脱衣装置を具備していることにより、下半身の挙動が不自由な患者が独りで下衣を脱いで用を足すことができ、座った姿勢は勿論、横になった状態でも用を足すことができるため、楽な姿勢で生理現象を解消することができ、また、用を足す時に患者の下半身を隠すコブラ状の遮蔽装置と遮蔽装置の一側に水洗装置を備えることにより、患者が羞恥心を感じず用を足すことができ、遮蔽装置を寝台の底面に出し入れできるようにすることにより、休息または就寝時には、より安らかな休息と就寝をとれるようにした患者用寝台を提供できる。
【発明を実施するための最良の形態】
【００１３】
以下、本発明に係る患者用寝台の一例を、添付図面に基づき詳細に説明する。
【００１４】
図１は、本発明に係る患者用寝台の構成図である。本発明に係る患者用寝台は、図１に示すように、便器装置３００を備えており、便器装置３００の上部には、患者の臀部及び陰部を隠す遮蔽装置５００が設置されている。
【００１５】
また、本発明に係る寝台は、寝床１００、脱衣装置２００及び制御ボックス４００をさらに含んで構成される。
【００１６】
寝床１００は、マット１１０と、マット支持台１３０及びマット折畳手段１２０から構成され、マット１１０は、図３乃至図６に示すように、背もたれ１１１、臀部支え部１１２、脚支え部１１３及び足支え部１１４が互いに畳まれるようにヒンジ固定されて構成される。
【００１７】
マット１１０の背もたれ１１１と臀部支え部１１２は、固定ヒンジ軸１１１ａによりマット支持台１３０を構成するフレームのうち縦フレーム１３３の内側に形成されているヒンジ穴に回動自在に設置される。
【００１８】
これにより、背もたれ１１１と臀部支え部１１２は、図３及び図６に示すように、固定ヒンジ軸111aを中心に互いに畳まれる状態になるか、或いは、図４に示すように開けられる状態になり得る。
【００１９】
臀部支え部１１２と脚支え部１１３の間及び脚支え部１１３と足支え部１１４の間は、折畳部１１２ｂ、１１４ａにより互いに畳まれるように連結されている。すなわち、図３に示すように、マット１１０を、患者が用を足すのに楽な姿勢になるように畳むとき、折畳部１１２ｂは上方に上がり、図において、臀部支え部１１２は右上向きになるように傾き、脚支え部１１３は右下方になるように傾き、太腿と脹脛の部分が楽になるように支える。また、折畳部１１４ａは下方に下がり、足支え部１１４と脚支え部１１３は、足首の勾配と類似する勾配で折り曲げられる。
【００２０】
脚支え部１１３に設置された移動ヒンジ軸１１３ａは、図３に示すように、折畳部１１４ａ側に偏っている部分、すなわち、脚支え部１１３の中段部に構成されることにより、臀部支え部１１２の勾配を調節する時に折畳部１１２ｂの高さと足支え部１１４の端部の高さが同等になりズボン掛け移送台２１０の中段部と端部を同時に支えて持ち上げることができるようにした。
【００２１】
脚支え部１１３の中段部と足支え部１１４の端部には、移動ヒンジ軸１１３a、１１４ｂが設置されている。
【００２２】
図示のように移動ヒンジ軸１１３a、１１４ｂは、マット支持台１３０の縦フレーム１３３の内側に形成されている軸移動溝１３３a、１３３ｂの内部で横に移動するように構成されており、上述したようにマット１１０の各部分が、患者が用を足すのに容易な状態に折り曲げられることになる。
【００２３】
上記のように構成されたマット１１０を患者が用を足すのに容易な状態になるように畳む手段として、マット折畳手段１２０が設置されている。
【００２４】
マット折畳手段１２０は、図２ないし図４に示すように、２つのシリンダー１２１、１２２から構成される。
【００２５】
シリンダー１２１、１２２のうち、第１シリンダー１２１は、マット１１０の背もたれ１１１を立てて患者がもたれて座り易くする手段であって、一端部はマット支持台１３０を構成するフレームのうちのいずれか１つのフレームに回動自在に固定され、その内部で往復運動するピストン軸は背もたれ１１１の中段部一側にヒンジ板１２３により回動自在に固定される。
【００２６】
第２シリンダー１２２は、臀部支え部１１２を固定ヒンジ軸１１１ａを中心に畳まれるようにする手段であって、これは第１シリンダー１２１と同じ構成を有する。
【００２７】
第１シリンダー１２１及び第２シリンダー１２２は、図２に示すように、２つを縦フレーム１３３と隣接する部分に設置することにより、寝床１００の中央に設置される他の装置を容易に設置することができるようにした。
【００２８】
上記のように構成されたマット１１０の臀部支え部１１２の中央には、便器穴１１２ａが形成されており、便器穴１１２ａの下には便器３１０が設置されている。
【００２９】
便器３１０は、後述する排水手段３４０と連結され、便器３１０内の排泄物を含む洗浄水を排出できるように構成されている。
【００３０】
まず、排水手段３４０は、図３及び図４に示すように、便器３１０の下部に連結されている排水管に３方弁３４３に２つの管を連結し、１つの管には排泄物鉢３４１を連結し、他の排水管３４２は下水管に連結して構成される。
【００３１】
排泄物鉢３４２は、図８及び図９に示すように、２つの鉢を二重壁で構成される。
【００３２】
排泄物鉢３４１は、外部保護カバー３４１ａと内部蛇腹箱３４１ｂで構成され、外部保護カバー３４１ａは、外部の力により潰されたり破損されない、強い材質の合成樹脂や金属などで作られ、その側壁には長く穴３４１ｇが形成されている。
【００３３】
また、外部保護カバー３４１ａの下部には、多数の輪を設置して移動を容易にすることができる。
【００３４】
外部保護カバー３４１ａの内部に設置される内部蛇腹箱３４１ｂには、流入管３４１ｄと流出管３４１ｃがそれぞれ形成されており、一端部には、移動板３４１ｅが設置されており、移動板３４１ｅには外部保護カバー３４１ａの側壁に形成されている穴３４１ｇを貫通して外部に露出される取っ手３４１ｆが形成されている。
【００３５】
内部蛇腹箱３４１ｂは、図示のように多数のベローズからなり、その内部に内容物が入っていない時は、収縮された状態になるが、その中に内容物が入ることによりベローズが開けられ、その内部は外部と断絶された状態になり、内容物から発生する悪臭が外部に漏れることを防止することができる。
【００３６】
上記のように構成された排泄物鉢３４１に排泄物が満たされると、これを移動させた後、内部蛇腹箱３４１ｂの一端部に形成されている移動板３４１ｆを流出管３４１ｃの方に押して内部蛇腹箱３４１ｂに満たされている排泄物を排出させる。
【００３７】
すなわち、流出管３４１ｃが下方に傾くようにした後、取っ手３４１ｆを流出管３４１ｃ側に押して内部蛇腹管３４１ｂが畳まれるようにすることにより、その内部の排泄物を捨てることができる。
【００３８】
便器３１０の一側には、便器の排泄物を水洗するための洗浄水を供給する給水管３２１が連通して設置されており、給水管３２１は、通常の上水施設に連結され、その中段部には電子弁が設置され、自動に給水が行われるようにした。
【００３９】
給水管３２１に設置されている電子弁(図示せず)は、便器３１０の一側に設置されている検知センサ(図示せず)で検知された排泄物により自動に開閉され、後述する制御ボックス４００の制御により駆動される。
【００４０】
便器３１０の上部には、マット１１０の臀部支え部１１２に形成されている便器穴１１２ａを塞ぐ開閉装置３３０が設置されている。
【００４１】
開閉装置３３０は、図７に示すように、便蓋３３１と、これを移動させる手段から構成される。
【００４２】
便蓋３３１は、両縁に係止突起３３７が２個ずつ形成されており、移動方向の一端部にはヒンジ棒３３６が形成され、ヒンジ棒を側方に押したり引っ張ったりすることにより、便蓋３３１は側上方または側下方に移動して臀部支え部１１２に形成されている便器穴１１２ａを開閉させる。
【００４３】
便蓋３３１は、図７に示すように、その上部面にはマット１１０の臀部支え部１１２に形成されている便器穴１１２ａと対向する突出部が形成されている。
【００４４】
便蓋３３１に形成されているヒンジ棒３３６には、連結台３３５が回動自在に設置されており、連結台３３５は、モータ３３２に回動自在に連結されている。
【００４５】
モータ３３２は、実際に便蓋３３１を開閉する動力源であって、回転軸にはピニオン３３３が設置されている。
【００４６】
ピニオン３３３に形成されているギア歯は、その下部に設置されたラック３３４に形成されているギア歯と噛合され、モータ３３２の駆動によりピニオン３３３が回転すれば、ピニオン３３３がラック３３４に沿って移動し、これにより、モータ３３２も移動し、モータ３３２に回動自在に固定されている連結台３３５も移動する。
【００４７】
このようにモータ３３２の移動によって移動する連結台３３５の移動は、便蓋３３１を側方に移動させる。
【００４８】
このような便蓋３３１の移動、すなわち、水平にのみ移動するのではなく、対角線方向への移動を容易にするために、便蓋３３１の両縁に形成されている係止突起３３７を案内するガイド３３８がさらに設置されており、ガイド３３８には、係止突起３３７が移動するガイド溝３３８a、３３８ｂが形成されており、このガイド溝３３８a、３３８ｂは、図示のように水平から対角線に移動するように形成されている。
【００４９】
上記したように本発明の患者用寝台は、下半身を容易に動けない患者が容易に下衣を脱いだり着たりすることができるように手伝うことができる脱衣装置２００を具備している。
【００５０】
脱衣装置２００は、図１０乃至図１２にその一例が詳細に示されている。
【００５１】
図示のように、脱衣装置２００は、下衣を鋏む鋏状のズボン掛け２１２と、ズボン掛け２１２を体の身長方向に移動させるズボン掛け移送台２１０及びズボン掛け移送台２１０を移動させる移送台支え２２０から構成される。
【００５２】
ズボン掛け移送台２１０は、マット支持台１３０の両縁に人体の長さ方向に置かれ、人体の腰部分から脚まで延在するように置かれた筒体状を有する。
【００５３】
ズボン掛け移送台２１０は、図１０において断面で示すように、マット側に向く部分には長くズボン掛け移送溝２１１が形成され、脚に向く端部の内部にはモータ２１４が設置されており、モータ２１４の回転軸に設置されたベベルギア２１４ａと噛合されて駆動するベベルギアの回転軸にはプーリ２１５が設置されている。
【００５４】
プーリ２１５が設置された端部の反対側の端部内部にもプーリ２１５’が設置されており、２つのプーリ２１５、２１５’の間には、ズボン掛け移送ベルト２１６がかけられている。
【００５５】
ズボン掛け移送ベルト２１６には、ズボン掛け２１２が吊られている連結紐２１３の端部が固定されており、ズボン掛け移送台の内部一側には、ズボン掛け２１２の移動距離を制限する停止スイッチ２１７、２１７’が２つのプーリ２１５、２１５’の間に設置され、連結紐２１３が係止されれば、モータ２１４に供給される電源を遮断してモータの駆動を停止する。
【００５６】
ズボン掛け移送台２１０は、上述したように移送台支え２２０により支持されており、移送台支え２２０は、ズボン掛け移送台２１０を支持し、ズボン掛け移送台２１０が寝台中央に横になっている患者側に移動できるようにし、このようにズボン掛け移送台２１０を患者側に移動させる手段が移送台支え２２０の内部に設置されている。
【００５７】
移送台支え２２０は、図１１に示すように構成される。
【００５８】
ズボン掛け移送台２１０を移動させる手段は、２つのプーリ２３１、２３１’の間に移送台移送ベルト２６０を設置して構成され、前記２つのプーリのうち、いずれかのプーリ２３１を回転させることにより移送台移送ベルト２６０が回転することになり、移送台移送ベルト２６０に固定設置されたズボン掛け移送台２２０が移動することになる。
【００５９】
プーリ２３１を駆動させる手段としてモータ２３０が備えられており、モータ２３０の駆動は、制御ボックス４００に備えられた制御ボタン(図示せず）の操作によりなされる。
【００６０】
また、ズボン掛け移送台２１０の移動は、移送台支え２２０の背部に設置された停止スイッチ２３４の作動により停止することができる。
【００６１】
すなわち、ズボン掛け移送台２１０が十分に移動すれば、ズボン掛け移送台２１０が固定された移送台移送ベルト２６０部分が停止スイッチ２３４を押圧してモータ２３０に供給される電源を遮断することになる。
【００６２】
また、移送台支え２２０の下部には、上下移動軸２４０がさらに設置され、上下移動軸２４０はコナー支持台１３１に固定設置された移動軸支持管２５０に挿入され移送台支え２２０が上下に移動するように支持される。
【００６３】
すなわち、患者が用を足すために背もたれにもたれた状態になって患者の高さが高くなると、上下移動軸２４０が移動軸支持管２５０から引出されて移送台支え２２０が高くなり、これにより、ズボン掛け移送台３１０の高さが高くなって患者がズボン掛け移送台２１０に引っかからないようになる。
【００６４】
便器３１０の一側には給水手段３２０が設置されている。
【００６５】
給水手段３２０は、用を足した後、患者の臀部及び陰部を水洗する手段であって、遮蔽装置と一体に構成される。
【００６６】
遮蔽装置５００は、図１３乃至図１８に一例が詳細に示されている。
【００６７】
図１３に示す遮蔽装置５００は、給水手段が設置されていない遮蔽装置であり、その内部が空いており縦端面及び横断面が弧状をなすハウジング３５１と、前記ハウジングの内部に引出可能に設置され、ハウジング３５１と同じ弧状を有する遮蔽片３５３から構成される。
【００６８】
遮蔽片３５３は、後述する図１４に示す遮蔽片とは異なって一体に形成され、上記及び図１３に示すように、その縦断面及び横断面が弧状に形成されてハウジング３５１から引出されたとき、人体の陰部周囲を覆い隠すことになる。
【００６９】
図１４の図示は、他の遮蔽装置５００の一例であって、各構成要素を覆いかぶせているハウジング３５１と、患者の臀部を隠す遮蔽片３５３が内蔵された遮蔽片ハウジング３５２と、遮蔽片３５３を開ける遮蔽片駆動板３５８と、遮蔽片ハウジング３５２をハウジング３５１から引出する移動体３５６を含んで構成される。
【００７０】
ハウジング３５１は、図３及び図４に示すように、マット支持台１３０の一側にハウジング固定台３７０により固定され、スプリングショーバー３６０の作動によりその一側のヒンジ点を中心に回動できるように設置され、弧状の筒体状に形成され、図１４に示すように、曲げられた弧の内側に向く面には給水管挿入溝部３５１ａが一体に形成され、図１５、図１６及び図１７に示すように、内部には弧状に曲げられたラック３５１ｂが設置され、ラック３５１ｂに噛合されるギア歯が形成されているピニオン３５４ａが回転軸に設置されている直流モータ３５４を具備して構成される。
【００７１】
ハウジング３５１の端部、すなわち、遮蔽片ハウジング３５２と対向する端部の内側には、係止あごが形成されて遮蔽片ハウジング３５２に形成されている係止あご３５２ｂが係止されるように構成されている。
【００７２】
遮蔽片ハウジング３５２は、上述したようにハウジング３５１の内部に設置され、ハウジング３５１から出し入れが可能である。
【００７３】
遮蔽片ハウジング３５２は、ハウジング３５１の内部に挿入できる曲率の弧状を有する２つの板体から構成され、ハウジング３５１に向く端部はハウジング３５１に形成されている係止あごに係止されるハウジング係止あご３５２ｂが形成されており、ハウジング３５１に形成されている給水管挿入溝部３５１ａに対向し、多数の貫通孔が形成されている給水管挿入部３５２ａが一体に形成されている。
【００７４】
ハウジング３５１に形成されている給水管挿入溝部３５１ａは、図１４に示すように、外側に向く部分が切欠されて構成され、遮蔽片ハウジング３５２に形成されている給水管挿入部３５２ａが給水管挿入溝部３５１ａに挿入された状態で給水管挿入溝部３５１ａに沿って移動できるように構成されている。
【００７５】
すなわち、遮蔽片ハウジング３５２に形成されている給水管挿入部３５２ａに設置されたホース３５２ｄが給水管挿入溝部３５１ａの外側に向いて切欠された部分を通して移動されるように構成され、ホース３５２ｄはこのような移動を可能にするために柔軟な合成樹脂などにより作られる。
【００７６】
遮蔽片３５３は、遮蔽片ハウジング３５２の両縁に形成されているヒンジ突起３５３ａにヒンジ固定され、スプリング３５３ｂにより遮蔽片ハウジング３５２の中央に向いて畳まれた状態で設置され、前記ヒンジ固定された部分に回動突部３５３ｃが形成されている。
【００７７】
すなわち、遮蔽片３５３は、遮蔽片ハウジング３５２がハウジング３５１の内部に入っている状態では、図１６に示すように、遮蔽片ハウジング３５２の内側に隠され、遮蔽片ハウジング３５２がハウジング３５１から引出されると、遮蔽片ハウジング３５２から露出されて開けられ、図１５に示すような状態になり、患者の臀部及び陰部を隠すことになる。
【００７８】
給水管挿入部３５２ａに形成されている貫通穴には、図１７及び図１８に示すように、円筒形で構成され多数の穴が形成され、前記穴には噴射ノズル４４０が設置されている。
【００７９】
噴射ノズル４４０は、その一側に給水管挿入部３５２ａに内設されているホース３５２ｄが連結されており、回動軸４４２により回動自在に設置され、噴射ノズル４４０を繰り返して回動させ噴射穴４４１の方向を変えることにより、噴射される空気や洗浄水の方向を調節する手段がさらに設置されている。
【００８０】
前記方向調節手段は、直流モータ４１０の回転軸に偏心プーリ４２０を設置し、円筒形噴射ノズル４４０の円周から外れた部分にワイヤー４３０を連結して直流モータの駆動により回動される偏心プーリ４２０の回動により回動されるように構成されている。
【００８１】
遮蔽片ハウジング３５２をハウジング３５１から引出したりハウジング３５１の内部に入れる手段として、直流モータ３５４と、ピニオン３５４ａ、及びラック３５１ｂが備えられている。
【００８２】
直流モータ３５４は、外周面の一側には移動体３５６が設置されており、移動体３５６は、図１５及び１６に示すように、ハウジング３５１の内部に設置され、直流モータ３５４の駆動によりハウジング内部で移動する。
【００８３】
すなわち、直流モータ３５４の回転軸に設置されたピニオン３５４ａが直流モータ３５４の駆動により回転すると、ハウジング３５２の内部に固定設置されたラック３５１ｂのギア歯に噛合されて直流モータ３５４が移動し、これにより、移動体３５６が移動し、移動体３５６の一側にその一端部が結合されている遮蔽片駆動板３５８が移動する。
【００８４】
移動体３５６の内部には、第２緩衝スプリング３５６ａが設置されている。
【００８５】
移動体３５６の一側には、上述したように、遮蔽片駆動板３５８の一端部が挿入されており、遮蔽片駆動板３５８は遮蔽片３５３の一側に形成されている回動突部３５３ｃを押してヒンジ軸３５３ａを中心に遮蔽片３５３が回動され、遮蔽片３５３が、図１５aに示すように、遮蔽片ハウジング３５２から露出されるようにする。
【００８６】
遮蔽片駆動板３５８は、板体形状に両縁に遮蔽片３５３のヒンジ固定部に形成されている回動突部３５３ｃを押して遮蔽片３５３が遮蔽片ハウジング３５２から開けられるように押し出す遮蔽片回動片３５８ｃが形成され、一端部はピストン３５６の内に挿入設置されて第２緩衝スプリング３５６ａにより弾性的に支持されている。
【００８７】
ピストン３５６と遮蔽片ハウジング３５２のハウジング３５１の内部に挿入された端部間に設置された第１緩衝スプリング３５５がさらに設置されている。
【００８８】
第１緩衝スプリング３５５は、遮蔽片ハウジング３５２が患者の体の一部やふとんなどに引っ掛けられた時に収縮されることにより、ピストン３５６の一端部がハウジング３５１の一側に設置された停止スイッチ３５７を押圧して直流モータ３５４を停止させることにより、遮蔽片ハウジング３５２により患者が刺激を受けないようにする手段である。
【００８９】
ハウジング３５１は、図２及び図３に示すように、ハウジング固定台３７０により固定設置され、その上端はヒンジ結合され、その下端にはスプリングショーバー３６０が設置されており、ハウジング３５１から露出された遮蔽手段がふとんなどにより押さえられたり、その高さが極めて高い場合、遮蔽装置を押圧すれば、スプリングショーバー３６０によりハウジングの下端が引っ張られたり、押さえられて、遮蔽装置等の高さが調節できるようにした。
【００９０】
上記において各電気装置等、すなわち、モータの制御やこれらに供給される電源を取り締まる停止スイッチ等の動作を制御するための構成は図示されていないが、このような制御は、電気の流れを取り締まる接点スイッチまたはこのような接点を自動に制御するソフトウェア的な制御により行われることができて、このような機能は制御ボックスにマイコンなどを設置して構成することができる。
【００９１】
また、本発明に係る患者用寝台は、図２０に示すように、患者が横になった状態で患者の２つの脚で作動され、遮蔽片３５３が患者の陰部及び臀部を隠すことにより、挙動が不自由な患者の場合、横になった状態で小便をすることができ、このとき、遮蔽片３５３をはじめ遮蔽片ハウジング３５２が患者の小便が外部で飛び出ることを防ぐことができる。
【００９２】
上述した本発明の好ましい実施の形態は、例示の目的のために開示されたものであり、本発明の属する技術の分野における通常の知識を有する者であれば、本発明の技術的思想を逸脱しない範囲内で、様々な置換、変形、及び変更が可能であり、このような置換、変更などは、特許請求の範囲に属するものである。
【図面の簡単な説明】
【００９３】
【図１】本発明に係る患者用寝台の構成図である。
【図２】本発明に係る患者用寝台の寝床フレームの斜視図である。
【図３】本発明に係る患者用寝台のマットを折り曲げた状態の側面図である。
【図４】本発明に係る患者用寝台の折畳マットを開いた状態の側面図である。
【図５】本発明に係る患者用寝台の平面図である。
【図６】本発明に係る患者用寝台に設置されたマットを折り曲げた状態の斜視図である。
【図７】本発明に係る患者用寝台の便蓋開閉手段の組立斜視図である。
【図８】本発明に係る患者用寝台の便鉢の一例を示す部分断面斜視図である。
【図９】図８に示す便鉢の断面図である。
【図１０】本発明に係る患者用寝台に設置された脱衣装置の一例を示す斜視図である。
【図１１】図１０のＢ−Ｂ線の断面図である。
【図１２】図１０に示す脱衣装置のズボン掛け移送台の断面図である。
【図１３】本発明に係る患者用寝台に設置された遮蔽装置の一例を示す斜視図である。
【図１４】本発明に係る患者用寝台に設置された遮蔽装置の他の一例を示す斜視図である。
【図１５】図１４に示す遮蔽装置の作動状態を説明するための断面図である。
【図１６】図１４に示す遮蔽装置の作動状態を説明するための断面図である。
【図１７】図１４に示す遮蔽装置の側断面図である。
【図１８】図１４に示す遮蔽装置においてＡ部分を拡大して示す断面図である。
【図１９】図１４に示す遮蔽装置において噴射ノズル及びその駆動手段を示す斜視図である。
【図２０】本発明に係る患者用寝台を利用する患者が横になった状態で小便をする時に遮蔽手段が開けられた状態を示す図である。
【図１】
2007537791.tif 000003
【図２】
2007537791.tif 000004
【図３】
2007537791.tif 000005
【図４】
2007537791.tif 000006
【図５】
2007537791.tif 000007
【図６】
2007537791.tif 000008
【図７】
2007537791.tif 000009
【図８】
2007537791.tif 000010
【図９】
2007537791.tif 000011
【図１０】
2007537791.tif 000012
【図１１】
2007537791.tif 000013
【図１２】
2007537791.tif 000014
【図１３】
2007537791.tif 000015
【図１４】
2007537791.tif 000016
【図１５】
2007537791.tif 000017
【図１６】
2007537791.tif 000018
【図１７】
2007537791.tif 000019
【図１８】
2007537791.tif 000020
【図１９】
2007537791.tif 000021
【図２０】
2007537791.tif 000022
【国際調査報告】
2007537791.tif 000023
2007537791.tif 000024